(57)【要約】      （修正有）【課題】読み取られた画像データに対して所定の処理を行なう画像処理装置において、画像処理の効率化を実現する。【解決手段】互いに異なる解像度での画像読み取りを行なう複数の画像読取部のうち少なくともいずれかにおいて読み取られる画像データに対する所定の処理の実行命令を受け付ける命令受付部と、命令受付部にて受け付ける命令に基づいて、複数の画像読取部の内の、所定の処理の対象となる画像データを読み取る画像読取部と該画像読取部以外の少なくとも１つの画像読取部による画像読み取り処理を実行させる読取実行部と、読取実行部により実行させる画像読み取り処理にて得られる画像データに対して所定の処理を実行させる処理実行部と、処理実行部にて実行される処理により生成される処理後データと、読取実行部により画像読み取り処理を実行させた画像読取部にて読み取られた画像データとを対応付けて格納するデータ格納部とを備えてなる。【選択図】図１
2008193678.tif 000002
【特許請求の範囲】
【請求項１】
互いに異なる解像度での画像読み取りを行なう複数の画像読取部のうち少なくともいずれかにおいて読み取られる画像データに対する所定の処理の実行命令を受け付ける命令受付部と、
前記命令受付部にて受け付ける命令に基づいて、前記複数の画像読取部の内の、前記所定の処理の対象となる画像データを読み取る画像読取部と該画像読取部以外の少なくとも１つの画像読取部による画像読み取り処理を実行させる読取実行部と、
前記命令受付部にて受け付ける命令に基づいて、前記読取実行部により実行させる画像読み取り処理にて得られる画像データに対して前記所定の処理を実行させる処理実行部と、
前記処理実行部にて実行される処理により生成される処理後データと、前記読取実行部により画像読み取り処理を実行させた画像読取部にて読み取られた画像データとを対応付けて所定の記憶領域に格納させるデータ格納部と
を備えてなる画像処理装置。
【請求項２】
請求項１に記載の画像処理装置において、
前記複数の画像読取部は、カラー画像を読み取り可能な第１の画像読取部と、前記第１の画像読取部よりも解像度が高いモノクロ画像を読み取り可能な第２の画像読取部とを備える画像処理装置。
【請求項３】
請求項１に記載の画像処理装置において、
前記複数の画像読取部のうち少なくともいずれかにおいて読み取られる画像データに対する所定の処理の実行を命令する所定の操作入力部を備え、
前記所定の操作入力部は、ユーザの操作入力に基づいて、利用頻度の高い処理の実行を命令する画像処理装置。
【請求項４】
請求項１に記載の画像処理装置において、
前記操作入力部により実行を命令する所定の処理の内容を設定する処理設定部を備える画像処理装置。
【請求項５】
請求項１に記載の画像処理装置において、
前記データ格納部により所定の記憶領域に格納されたデータの内、前記処理後データ以外の画像データについては、所定の保存期間経過後に消去させるデータ管理部を備える画像処理装置。
【請求項６】
互いに異なる解像度での画像読み取りを行なう複数の画像読取部のうち少なくともいずれかにおいて読み取られる画像データに対する所定の処理の実行命令を受け付ける命令受付ステップと、
前記命令受付ステップにて受け付ける命令に基づいて、前記複数の画像読取部の内の、前記所定の処理の対象となる画像データを読み取る画像読取部と該画像読取部以外の少なくとも１つの画像読取部による画像読み取り処理を実行させる読取実行ステップと、
前記命令受付ステップにて受け付ける命令に基づいて、前記読取実行ステップにより実行させる画像読み取り処理にて得られる画像データに対して前記所定の処理を実行させる処理実行ステップと、
前記処理実行ステップにて実行される処理により生成される処理後データと、前記読取実行ステップにより画像読み取り処理を実行させた画像読取部にて読み取られた画像データとを対応付けて所定の記憶領域に格納させるデータ格納ステップと
を備えてなる画像処理方法。
【請求項７】
請求項６に記載の画像処理方法において、
前記複数の画像読取部は、カラー画像を読み取り可能な第１の画像読取部と、前記第１の画像読取部よりも解像度が高いモノクロ画像を読み取り可能な第２の画像読取部とを備える画像処理方法。
【請求項８】
請求項６に記載の画像処理方法において、
前記所定の処理は、過去の利用頻度が高い処理である画像処理方法。
【請求項９】
請求項６に記載の画像処理方法において、
実行を命令する前記所定の処理の内容を設定する処理設定ステップを備える画像処理方法。
【請求項１０】
請求項６に記載の画像処理方法において、
前記データ格納ステップにより所定の記憶領域に格納されたデータの内、前記処理後データ以外の画像データについては、所定の保存期間経過後に消去させるデータ管理ステップを備える画像処理方法。
【発明の詳細な説明】
【技術分野】
【０００１】
本発明は、画像読取装置にて読み取られた画像データに対して所定の処理を行なう画像処理装置に関し、特に、画像処理の効率化を実現する技術に関するものである。
【背景技術】
【０００２】
図１０は、従来の画像処理装置の概略構成を示す図である。同図に示す従来の画像処理装置（ＭＦＰ）９は、ＲＧＢカラーでの画像読み取りが可能な３ラインＣＣＤ９０３を備えている。上記従来の画像処理装置９では、３ラインＣＣＤ９０３を構成する各ラインセンサの解像度が固定されており、ラインセンサから高解像度（例えば６００ｄｐｉ）で出力された画像データに基いて低解像度（例えば３００ｄｐｉ）の画像データが必要となった場合、画像処理部９０４にて高解像度から低解像度に解像度変換する必要があった。
【０００３】
これは、ラインセンサの解像度が低解像度（例えば３００ｄｐｉ）に固定されている場合に、高解像度の画像データを必要とする場合も同様であった。
【発明の開示】
【発明が解決しようとする課題】
【０００４】
しかし、上述のような従来の画像処理装置９における画像処理部９０４で解像度変換を行なう場合、画像がぼけたり、画像がゆがんだり等々の画像劣化が起きる場合があった。また、画像処理部９０４にて解像度変換処理を行なう場合、解像度を変換するためのメモリ領域や、解像度変換を行なうための時間が必要となってしまうという問題があった。
【０００５】
また、互いに異なる解像度で画像読み取りを行なう複数のＣＣＤセンサを有する画像処理装置も知られるが、同構成の画像処理装置にて原稿の画像を読み取る際に一度のスキャン動作で画像読み取りを行なうのは、いずれか１種類の解像度のＣＣＤセンサのみである。よって、いまだ画像読み取りを行なっていない他の解像度の画像データに基づく画像処理を行ないたいような場合、再度当該解像度のＣＣＤセンサを用いた画像読み取り動作を行なわなければならず、効率的でなかった。
【０００６】
本発明は上述した問題点を解決するためになされたものであり、画像読取装置にて読み取られた画像データに対して所定の処理を行なう画像処理装置において、画像処理の効率化を実現する技術を提供することを目的とする。
【課題を解決するための手段】
【０００７】
上述した課題を解決するため、本発明の一態様に係る画像処理装置は、互いに異なる解像度での画像読み取りを行なう複数の画像読取部のうち少なくともいずれかにおいて読み取られる画像データに対する所定の処理の実行命令を受け付ける命令受付部と、前記命令受付部にて受け付ける命令に基づいて、前記複数の画像読取部の内の、前記所定の処理の対象となる画像データを読み取る画像読取部と該画像読取部以外の少なくとも１つの画像読取部による画像読み取り処理を実行させる読取実行部と、前記命令受付部にて受け付ける命令に基づいて、前記読取実行部により実行させる画像読み取り処理にて得られる画像データに対して前記所定の処理を実行させる処理実行部と、前記処理実行部にて実行される処理により生成される処理後データと、前記読取実行部により画像読み取り処理を実行させた画像読取部にて読み取られた画像データとを対応付けて所定の記憶領域に格納させるデータ格納部とを備えてなることを特徴とするものである。
【０００８】
また、本発明の一態様に係る画像処理方法は、互いに異なる解像度での画像読み取りを行なう複数の画像読取部のうち少なくともいずれかにおいて読み取られる画像データに対する所定の処理の実行命令を受け付ける命令受付ステップと、前記命令受付ステップにて受け付ける命令に基づいて、前記複数の画像読取部の内の、前記所定の処理の対象となる画像データを読み取る画像読取部と該画像読取部以外の少なくとも１つの画像読取部による画像読み取り処理を実行させる読取実行ステップと、前記命令受付ステップにて受け付ける命令に基づいて、前記読取実行ステップにより実行させる画像読み取り処理にて得られる画像データに対して前記所定の処理を実行させる処理実行ステップと、前記処理実行ステップにて実行される処理により生成される処理後データと、前記読取実行ステップにより画像読み取り処理を実行させた画像読取部にて読み取られた画像データとを対応付けて所定の記憶領域に格納させるデータ格納ステップとを備えてなることを特徴とするものである。
【発明の効果】
【０００９】
以上に詳述したように本発明によれば、画像読取装置にて読み取られた画像データに対して所定の処理を行なう画像処理装置において、画像処理の効率化を実現する技術を提供することができる。
【発明を実施するための最良の形態】
【００１０】
以下、本発明の実施の形態について図面を参照しつつ説明する。
【００１１】
図１は、本実施の形態による画像処理装置１について説明するための機能ブロック図である。本実施の形態による画像処理装置１は、例えばＭＦＰ（Multi Function Peripheral）である。
【００１２】
本実施の形態による画像処理装置１は、複数の画像読取部７０１、処理設定部１０１、命令受付部１０２、読取実行部１０３、処理実行部１０４、データ格納部１０５、データ管理部１０６、ワンタッチボタン１０７、ＣＰＵ８０１およびＭＥＭＯＲＹ８０２を備えてなる構成となっている。
【００１３】
複数の画像読取部７０１は、互いに異なる解像度での画像読み取りを行なう複数のラインセンサ等から構成されている。ここで、複数の画像読取部７０１は、カラー画像を読み取り可能な第１の画像読取部７０１ａと、第１の画像読取部よりも解像度が高いモノクロ画像を読み取り可能な第２の画像読取部７０１ｂとを備えている。
【００１４】
具体的に、第１の画像読取部７０１ａが３００ｄｐｉの解像度でＲＧＢカラーでの画像読み取りが可能なラインセンサであり、第２の画像読取部７０１ｂが６００ｄｐｉの解像度でモノクロでの画像読み取りが可能なラインセンサである。
【００１５】
ワンタッチボタン（所定の操作入力部）１０７は、ユーザの操作入力に基づいて、複数の画像読取部７０１のうち少なくともいずれかにおいて読み取られる画像データに対する所定の処理の実行を命令するためのインターフェースとしての役割を有する。
【００１６】
処理設定部１０１は、ワンタッチボタン１０７の押下により実行を命令する所定の処理の内容を設定する。このようにワンタッチボタン１０７の押下により、簡易的に実行可能とする処理の内容を必要に応じて変更可能とすることにより、ユーザのニーズに応じた自由度の高い画像処理が可能となる。
【００１７】
なお、処理設定部１０１により設定する処理内容の一例としては、例えば過去の利用頻度（実行頻度）の高い処理などが挙げられる。ここで、「利用頻度の高い処理」とは、例えば、ｅ−文書法に定められた所定のフォーマットの文書データを生成する処理（例えば、３００ｄｐｉ／６００ｄｐｉの解像度設定、モノクロ／フルカラーのカラーモード設定、ＰＤＦ／ＴＩＦＦ等の保存形式設定、文書データを保存する保存先設定など）のように、頻繁に利用されるデータ生成処理などが該当する。
【００１８】
命令受付部１０２は、複数の画像読取部７０１のうち少なくともいずれか（複数の画像読取部７０１の内の一部の画像読取部であってもよいし、複数の画像読取部７０１を構成する全部の画像読取部であってもよい。）において読み取られる画像データに対する所定の処理の実行命令を受け付ける。
【００１９】
読取実行部１０３は、命令受付部１０２にて受け付ける命令に基づいて、複数の画像読取部７０１の内の、所定の処理の対象となる画像データを読み取る画像読取部と該画像読取部以外の少なくとも１つの画像読取部による画像読み取り処理を実行させる。もちろん、低解像度の画像データが必要な場合には低解像度のＣＣＤセンサにて読み取られる画像データを出力させ、高解像度の画像データが必要な場合は高解像度のＣＣＤセンサにて読み取られる画像データを出力させるようにすることもできる。
【００２０】
処理実行部１０４は、命令受付部１０２にて受け付ける命令に基づいて、読取実行部１０３により実行させる画像読み取り処理にて得られる画像データに対して所定の処理を実行させる。
【００２１】
データ格納部１０５は、処理実行部１０４にて実行される処理により生成される処理後データと、読取実行部により画像読み取り処理を実行させた画像読取部にて読み取られた画像データとを対応付けて所定の記憶領域（例えば、ＭＥＭＯＲＹ８０２など）に格納する。
【００２２】
データ管理部１０６は、データ格納部１０５により所定の記憶領域に格納されたデータの内、処理後データ以外の画像データについては、所定の保存期間経過後に消去させる。このように、例えば画像読み取り時から６ヶ月経過した画像データのように、今後利用する可能性が低いと推定されるデータを順次消去してゆくようにすることで、限られた記憶領域を有効に活用することができる。
【００２３】
ＣＰＵ８０１は、画像処理装置１における各種処理を行なう役割を有しており、またＭＥＭＯＲＹ８０２に格納されているプログラムを実行することにより種々の機能を実現する役割も有している。ＭＥＭＯＲＹ８０２は、例えばＲＯＭやＲＡＭ等から構成されており、画像処理装置１において利用される種々の情報やプログラムを格納する役割を有している。
【００２４】
続いて、本実施の形態による画像処理装置１におけるワンタッチボタン１０７に関する詳細について説明する。
【００２５】
図２は、本実施の形態による画像処理装置１におけるコントロールパネルの表示画面の一例を示す図である。
【００２６】
ワンタッチボタン１０７によって行なう命令の内容の設定は、図２に示す「設定」キー１０８を押下することにより表示される設定項目画面にて行なわれる。図３は、画像処理装置１のコントロールパネルにおける設定項目画面の一例を示す図である。
【００２７】
図３に示す設定項目画面上で「ワンタッチボタン設定」キーを選択すると、ワンタッチボタン設定画面が表示される。図４は、ワンタッチボタン設定画面における設定項目の一例を示す図である。
【００２８】
図４に示すワンタッチボタン設定画面にて設定可能な項目には、カラー読み取りやモノクロ読み取りといったカラーモードを切替えるための「カラーモード」設定キー１０８ａ、画像読み取り時の解像度を設定するための「解像度」設定キー１０８ｂ、画像読み取りにより得られる画像データの保存形式を設定するための「保存形式」設定キー１０８ｃ、画像読み取りにより得られる画像データの保存先を設定するための「保存先」設定キー１０８ｄなどがある。
【００２９】
上記の各設定項目における設定内容を変更する場合には、「カラーモード」設定キー１０８ａ、「解像度」設定キー１０８ｂ、「保存形式」設定キー１０８ｃ、「保存先」設定キー１０８ｄを押下し、それぞれの設定画面にて所望の設定を行なう。
【００３０】
図５は「カラーモード」設定キー１０８ａを押下した場合の設定画面の一例、図６は「解像度」設定キー１０８ｂを押下した場合の設定画面の一例、図７は「保存形式」設定キー１０８ｃを押下した場合の設定画面の一例、図８は「保存先」設定キー１０８ｄを押下した場合の設定画面の一例である。
【００３１】
上述の例では、画像処理装置１におけるコントロールパネルへのユーザの操作入力によるワンタッチボタン１０７の設定例（図５〜図８）を示しているが、これに限られるものではなく、例えば、画像処理装置１と通信可能に接続されている外部機器からネットワーク経由で設定を行なうことも可能である。ただし、ワンタッチボタン１０７の設定は、ｅ−文書の管理者権限を有するユーザのみが設定可能となっていることが好ましい。
【００３２】
このように、本実施の形態による構成とすることにより、ワンタッチボタン１０７の押下によって得られる画像データとは異なる解像度の画像データが必要になった場合や、ワンタッチボタン１０７の押下によって取得された画像データに対して画像処理を施したいような場合に、所定の処理に利用した画像データ以外の異なる解像度の画像データを格納しておくようにすることで、スキャン動作を１度行なうだけで自由度の高い画像処理を行なうことができる。
【００３３】
具体的には、低解像度、または、高解像度の解像度以外の解像度に変換する必要が生じた場合に、低解像度の画像データと、高解像度の画像データの双方の画像データを補間することで、画像のボケや歪み等を極力抑えた所望の解像度（高解像度の画像データの解像度と低解像度の画像データの解像度以外の）の画像データを得ることができる。
【００３４】
また、カラー画像を高解像度で読み取る場合、膨大な格納領域を確保する必要があるが、本実施の形態の構成によれば、低解像度で読み取ったカラー画像の解像度を、後に必要に応じて比較的データ容量の小さい高解像度のモノクロの画像データを用いて高解像度化することができる。
【００３５】
また、画像読取部７０１にて読み取られる画像データに基づく画像処理を行なう際に、１度だけスキャン動作を行なえばよいため、走査光学系における駆動部分等の消耗品の長寿命化に寄与することができる。
【００３６】
図９は、本実施の形態による画像処理装置１における処理（画像処理方法）の大まかな流れについて説明するためのフローチャートである。
【００３７】
処理設定部１０１は、実行を命令する所定の処理の内容を設定する（処理設定ステップ）（Ｓ９０１）。
【００３８】
命令受付部１０２は、互いに異なる解像度での画像読み取りを行なう複数の画像読取部のうち少なくともいずれかにおいて読み取られる画像データに対する所定の処理（例えば、過去の利用頻度が高い画像処理）の実行命令を受け付ける（命令受付ステップ）（Ｓ９０２）。
【００３９】
読取実行部１０３は、命令受付ステップにて受け付ける命令に基づいて、複数の画像読取部の内の、所定の処理の対象となる画像データを読み取る画像読取部と該画像読取部以外の少なくとも１つの画像読取部による画像読み取り処理を実行させる（読取実行ステップ）（Ｓ９０３）。
【００４０】
処理実行部１０４は、命令受付ステップにて受け付ける命令に基づいて、読取実行ステップにより実行させる画像読み取り処理にて得られる画像データに対して所定の処理を実行させる（処理実行ステップ）（Ｓ９０４）。
【００４１】
データ格納部１０５は、処理実行ステップにて実行される処理により生成される処理後データと、読取実行ステップにより画像読み取り処理を実行させた画像読取部にて読み取られた画像データとを対応付けて所定の記憶領域に格納させる（データ格納ステップ）（Ｓ９０５）。
【００４２】
データ管理部１０６は、データ格納ステップにより所定の記憶領域に格納されたデータの内、処理後データ以外の画像データについては、所定の保存期間経過後に消去させる（データ管理ステップ）（Ｓ９０６）。
【００４３】
上述の画像処理装置での処理における各ステップは、ＭＥＭＯＲＹ８０２に格納されている画像処理プログラムをＣＰＵ８０１に実行させることにより実現されるものである。
【００４４】
本実施の形態では装置内部に発明を実施する機能が予め記録されている場合で説明をしたが、これに限らず同様の機能をネットワークから装置にダウンロードしても良いし、同様の機能を記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と共働してその機能を実現させるものであってもよい。
【００４５】
従来の画像処理装置では（図１０および図１１を参照）、画像データの読み取り方や、保存形式等に関する設定を、画像処理を行なう度に毎回行なう必要があった。また、テンプレートを使った場合も同様に、テンプレートに設定されている設定値を、設定し直したりする必要があった。
【００４６】
これに対し、本実施の形態によれば、ワンタッチボタン１０７で解像度や処理スタート等の設定が自動で行なわれるため、設定ミス等の人為的なミスを減らすことができるとともに、ワンタッチで簡易に画像処理を実行させることが可能となる。これにより、誰でも同じ設定で原稿の画像読み取りや画像処理を行なうことができる。
【００４７】
以上のように、本実施の形態によれば、原稿をスキャンした画像データに必要な画像処理設定をワンタッチボタンに設定しておくことで間違えやすいコンパネ設定を省くとともに、解像度変換等の処理を極力行なうことのないようにすることができる。
【００４８】
本発明を特定の態様により詳細に説明したが、本発明の精神および範囲を逸脱しないかぎり、様々な変更および改質がなされ得ることは、当業者には自明であろう。
【図面の簡単な説明】
【００４９】
【図１】本実施の形態による画像処理装置１について説明するための機能ブロック図である。
【図２】本実施の形態による画像処理装置１におけるコントロールパネルの表示画面の一例を示す図である。
【図３】画像処理装置１のコントロールパネルにおける設定項目画面の一例を示す図である。
【図４】ワンタッチボタン設定画面における設定項目の一例を示す図である。
【図５】「カラーモード」設定キー１０８ａを押下した場合の設定画面の一例を示す図である。
【図６】「解像度」設定キー１０８ｂを押下した場合の設定画面の一例を示す図である。
【図７】「保存形式」設定キー１０８ｃを押下した場合の設定画面の一例を示す図である。
【図８】「保存先」設定キー１０８ｄを押下した場合の設定画面の一例を示す図である。
【図９】本実施の形態による画像処理装置１における処理（画像処理方法）の大まかな流れについて説明するためのフローチャートである。
【図１０】従来の画像処理装置の概略構成を示す図である。
【図１１】従来の画像処理装置のコントロールパネルにおける画面表示の一例を示す図である。
【符号の説明】
【００５０】
１  画像処理装置、７０１  複数の画像読取部、１０１  処理設定部、１０２  命令受付部、１０３  読取実行部、１０４  処理実行部、１０５  データ格納部、１０６  データ管理部、１０７  ワンタッチボタン、８０１  ＣＰＵ、８０２  ＭＥＭＯＲＹ。
【図１】
2008193678.tif 000003
【図２】
2008193678.tif 000004
【図３】
2008193678.tif 000005
【図４】
2008193678.tif 000006
【図５】
2008193678.tif 000007
【図６】
2008193678.tif 000008
【図７】
2008193678.tif 000009
【図８】
2008193678.tif 000010
【図９】
2008193678.tif 000011
【図１０】
2008193678.tif 000012
【図１１】
2008193678.tif 000013